(57)【要約】【課題】  異なる券種のカードを台紙に取り付ける場合にかかる手間を軽減させることができるカード取り付けシステムを提供する。【解決手段】  カードがスタック部に格納される位置を示す位置情報とカード識別情報とを対応付けて記憶するスタック情報記憶部と、カードからカード識別情報を読み取るカード読み取り部と、カード読み取り部によって読み取られたカードをスタック部に格納し、当該格納したカードのカード識別情報とスタック部に格納された位置に該当する位置情報とを対応付けてスタック情報記憶部に書き込む格納部と、台紙の台紙識別情報を読み取る台紙読み取り部とを有し、台紙読み取り部が読み取った台紙識別情報に対応するカード識別情報が設定されたカードの位置情報をスタック情報記憶部を参照して検索し、検索結果に基づいて、位置情報に対応する格納場所からカードを取り出してカードを台紙に取り付ける。【選択図】    図１
2006103820.tif 000002
【特許請求の範囲】
【請求項１】
複数のカードを１つの台紙に取り付けるカード取り付けシステムであって、
前記カードを格納するスタック部と、
前記カードが前記スタック部に格納される位置を示す位置情報と格納されるカードに付与されたカード識別情報とを対応付けて記憶するスタック情報記憶部と、
前記台紙の台紙識別情報を読み取る台紙読み取り部と、
前記台紙読み取り部が読み取った台紙識別情報に対応するカード識別情報が設定されたカードの位置情報を前記スタック情報記憶部を参照して検索し、検索結果に基づいて、位置情報に対応する格納場所からカードを取り出すカード取り出し部と、
前記カード取り出し部が取り出したカードを前記台紙に取り付けるカード取り付け部と、
を有することを特徴とするカード取り付けシステム。
【請求項２】
前記台紙識別情報に対応するカード識別情報が複数存在しており、
前記カード取り出し部は、前記台紙識別情報に対応するカード識別情報が設定されたそれぞれのカードを前記スタック部から取り出す
ことを特徴とする請求項１記載のカード取り付けシステム。
【請求項３】
前記台紙識別情報に対応する複数のカード識別情報のうち、１つのカード識別情報には、親となるカードであることを示す親情報が含まれており、他のカード識別情報には前記親に対して子となるカードであることを示す子情報が含まれており、
前記格納部は、子情報が含まれるカード識別情報が設定されたカードを前記スタック部に格納し、
前記カード取り付け部は、前記親情報が設定されたカードを前記台紙に取り付けるとともに、前記親情報が設定されたカード識別情報に対応する子情報が設定されたカード識別情報に対応するカードを、前記カード取り出し部によって取り出して取り付ける
ことを特徴とする請求項１または請求項２記載のカード取り付けシステム。
【請求項４】
取り付け対象となるカードからカード識別情報を読み取るカード読み取り部と、
前記カード読み取り部によって読み取られたカードを前記スタック部に格納し、当該格納したカードのカード識別情報とスタック部に格納された位置に該当する位置情報とを対応付けて前記スタック情報記憶部に書き込む格納部と、
を有することを特徴とする請求項１から請求項３のうちいずれかに記載のカード取り付けシステム。
【請求項５】
複数のカードを１つの台紙に取り付けるカード取り付け方法であって、
前記台紙の台紙識別情報を読み取り、
読み取った台紙識別情報に対応するカード識別情報が設定されたカードの位置情報について、前記前記カードを格納するスタック部に格納される位置を示す位置情報と格納されるカードに付与されたカード識別情報とを対応付けて記憶するスタック情報記憶部を参照して検索し、
検索結果に基づいて、位置情報に対応する格納場所からカードを取り出し、
取り出したカードを前記台紙に取り付ける
ことを特徴とするカード取り付け方法。
【請求項６】
複数のカードを１つの台紙に取り付けるカード取り付けプログラムであって、
前記台紙の台紙識別情報を読み取るステップと、
読み取った台紙識別情報に対応するカード識別情報が設定されたカードの位置情報について、前記前記カードを格納するスタック部に格納される位置を示す位置情報と格納されるカードに付与されたカード識別情報とを対応付けて記憶するスタック情報記憶部を参照して検索するステップと、
検索結果に基づいて、位置情報に対応する格納場所からカードを取り出すステップと、
取り出したカードを前記台紙に取り付けるステップと
をコンピュータに実行させるためのカード取り付けプログラム。
【発明の詳細な説明】
【技術分野】
【０００１】
本発明は、異なる券種のカードを台紙に取り付けるカード取り付けシステム、カード取り付け方法、カード取り付けプログラムに関する。
【背景技術】
【０００２】
従来から、クレジットカード、会員カード、入場許可カード、銀行のキャッシュカードなど、様々のカードが利用されている。これらのカードは、例えば、ＩＣカードや磁気カードなどが適用される。また、これらのカードは、カードの申し込み時に、申込用紙にユーザの各種情報を記入してもらい、その情報を利用してＩＣカードや磁気カードの記憶領域に記憶されたり、カードの表面にエンボス加工等がされる。そして、作成されたカードは、カードの台紙に取り付けられ、封筒に封入され、各ユーザに発送される。ここで、カードを台紙に取り付ける際、１枚の台紙には、１枚のカードまたは、同じ種類のカードが複数枚取り付けられる。
【０００３】
上述した従来技術においては、カードを作成する場合、同じ券面のカードをまとめて作成するのが一般的である。例えば、１つのカード会社が発行するカードの券種が、クレジットカード、リボカード、ポイントカードなど、複数種類ある場合に、クレジットカードを５００枚、リボカードを３００枚、ポイントカードを６００枚製造するといったように、それぞれまとめて作成される。したがって、この場合、発送先が同じユーザに対して異なる券種のカードを台紙に取り付け、封筒に封入して発送することが、全体としての発送料を低減することができる。
【発明の開示】
【発明が解決しようとする課題】
【０００４】
しかしながら、上述した従来技術によれば、１枚の台紙に異なる券種を取り付ける場合、それぞれのカードがまとめて作成されているので、そのカードの券種それぞれについて発送先毎に人手によって並べ替え、同じ発送先のカードを探して手作業で台紙に取り付けていた。したがって、カードを台紙に取り付ける作業に手間がかかり、作業員に対する負担が大きくなってしまうという問題が発生する。また、カードの並べ替えの順序を間違えたり、カードの並べ替え作業の時間がかかってしまったり、余計や工数や時間が発生してしまうという問題点があった。
【０００５】
本発明は、このような事情に鑑みてなされたもので、その目的は、異なる券種のカードを台紙に取り付ける場合にかかる手間を軽減させることができるカード取り付けシステム、カード取り付け方法、カード取り付けプログラムを提供することにある。
【課題を解決するための手段】
【０００６】
上述した課題を解決するために、本発明は、複数のカードを１つの台紙に取り付けるカード取り付けシステムであって、前記カードを格納するスタック部と、前記カードが前記スタック部に格納される位置を示す位置情報と格納されるカードに付与されたカード識別情報とを対応付けて記憶するスタック情報記憶部と、前記台紙の台紙識別情報を読み取る台紙読み取り部と、前記台紙読み取り部が読み取った台紙識別情報に対応するカード識別情報が設定されたカードの位置情報を前記スタック情報記憶部を参照して検索し、検索結果に基づいて、位置情報に対応する格納場所からカードを取り出すカード取り出し部と、前記カード取り出し部が取り出したカードを前記台紙に取り付けるカード取り付け部と、を有することを特徴とする。
【０００７】
また、本発明は、上述のカード取り付けシステムにおいて、前記台紙識別情報に対応するカード識別情報が複数存在しており、前記カード取り出し部は、前記台紙識別情報に対応するカード識別情報が設定されたそれぞれのカードを前記スタック部から取り出すことを特徴とする。
【０００８】
また、本発明は、上述のカード取り付けシステムにおいて、前記台紙識別情報に対応する複数のカード識別情報のうち、１つのカード識別情報には、親となるカードであることを示す親情報が含まれており、他のカード識別情報には前記親に対して子となるカードであることを示す子情報が含まれており、前記格納部は、子情報が含まれるカード識別情報が設定されたカードを前記スタック部に格納し、前記カード取り付け部は、前記親情報が設定されたカードを前記台紙に取り付けるとともに、前記親情報が設定されたカード識別情報に対応する子情報が設定されたカード識別情報に対応するカードを、前記カード取り出し部によって取り出して取り付けることを特徴とする。
【０００９】
また、本発明は、上述したカード取り付けシステムにおいて、取り付け対象となるカードからカード識別情報を読み取るカード読み取り部と、前記カード読み取り部によって読み取られたカードを前記スタック部に格納し、当該格納したカードのカード識別情報とスタック部に格納された位置に該当する位置情報とを対応付けて前記スタック情報記憶部に書き込む格納部と、を有することを特徴とする。
【００１０】
また、本発明は、複数のカードを１つの台紙に取り付けるカード取り付け方法であって、前記台紙の台紙識別情報を読み取り、読み取った台紙識別情報に対応するカード識別情報が設定されたカードの位置情報について、前記前記カードを格納するスタック部に格納される位置を示す位置情報と格納されるカードに付与されたカード識別情報とを対応付けて記憶するスタック情報記憶部を参照して検索し、検索結果に基づいて、位置情報に対応する格納場所からカードを取り出し、取り出したカードを前記台紙に取り付けることを特徴とする。
なお、スタック情報記憶部に、互いに対応付けられて記憶してある位置情報とカード識別情報は、適当な方法で書き込んで良い。書き込み方法としては、システムが、台紙の台紙情報を読み取る前に、予め、取り付け対象となるカードからカード識別情報を読み取りその読み取られたカードをスタック部に格納しておき、これによって得られる位置情報とこの位置情報に対応するカード識別情報とを、スタック情報記憶部に書き込む方法が好例である。それ以外では、例えば、既にカードが格納されてあるスタック部、並びに、既に作成されているその位置情報とこれに対応するカード識別情報の電子データを、いずれも入手しておき、システムがその電子データをスタック情報記憶部に書き込む方法も考えられる。
【００１１】
また、本発明は、複数のカードを１つの台紙に取り付けるカード取り付けプログラムであって、前記台紙の台紙識別情報を読み取るステップと、読み取った台紙識別情報に対応するカード識別情報が設定されたカードの位置情報について、前記前記カードを格納するスタック部に格納される位置を示す位置情報と格納されるカードに付与されたカード識別情報とを対応付けて記憶するスタック情報記憶部を参照して検索するステップと、検索結果に基づいて、位置情報に対応する格納場所からカードを取り出すステップと、取り出したカードを前記台紙に取り付けるステップとをコンピュータに実行させることを特徴とする。
なお、スタック情報記憶部に、互いに対応付けられて記憶してある位置情報とカード識別情報は、適当なステップで書き込みを行って良い。書き込みのステップとしては、システムが、台紙の台紙情報を読み取る前に、予め、取り付け対象となるカードからカード識別情報を読み取りその読み取られたカードをスタック部に格納しておき、これによって得られる位置情報とこの位置情報に対応するカード識別情報とを、スタック情報記憶部に書き込むステップが好例である。それ以外では、例えば、既にカードが格納されてあるスタック部、並びに、既に作成されているその位置情報とこれに対応するカード識別情報の電
子データを、いずれも入手しておき、システムがその電子データをスタック情報記憶部に書き込むステップも考えられる。
【発明の効果】
【００１２】
以上説明したように、本発明によれば、カードがスタック部に格納される位置を示す位置情報とカード識別情報とを対応付けてスタック情報記憶部に記憶するとともに、カードをスタック部に格納しておき、取り付ける台紙の台紙識別情報に対応するカード識別情報が設定されたカードの位置情報をスタック情報記憶部を参照して検索し、検索結果に基づいて、位置情報に対応する格納場所からカードを取り出してカードを台紙に取り付けるようにした。
これにより、１枚の台紙に複数枚のカードを取り付ける場合であっても、カードの並べ替えを手作業で行わなくてもよいので、並べ替えの順序の間違いを防止するとともに、並べ替えにかかる時間と工数を削減することができる効果が得られる。
【発明を実施するための最良の形態】
【００１３】
以下、本発明の一実施形態によるカード取り付けシステムを図面を参照して説明する。図１は、この発明の一実施形態によるカード取り付けシステムの構成を示す概略図である。この図において、台紙搬送部５０は、ベルトコンベヤーなどが適用され、台紙を搬送する。また、台紙搬送部５０には、搬送する台紙に印字された台紙識別情報を読み取るＯＣＲ（optical character reader）読み取り装置が設けられる。カード検査部６０は、カードをベルトコンベヤーによって搬送する搬送装置が設けられており、この搬送装置によって搬送されるカードの磁気テープなどに記憶された情報あるいはＩＣに記憶された情報をリーダライタで読み取る。ここでいう‘台紙’とは、カード３を会員宛に送付する際にカードが取り付け可能であり、必要に応じて封筒に封入可能な大きさに折りたたまれ、封筒内に封入され、送付されるものであり、台紙情報が印刷される。
【００１４】
カード搬送部７０は、台紙搬送部５０の下流側とカード検査部６０の下流側との間に設けられ、カード検査部６０において検査が終了し搬送されたカードを台紙搬送部５０の搬送の下流側の一端に搬送する。このカード搬送部７０についてもベルトコンベヤーなどが適用される。
上述のスタッカ部の一例となるスタッカ１１０は、カードを格納する。ここで、スタッカ１１０の外観図を図２に示す。この図において、スタッカ１１０は、内側の対向する壁面に溝１１ａが複数設けられ、この対向する溝１１ａに沿ってカードが挿入可能であり、溝１１ａごとにカードが挿入されることにより複数枚のカードを格納する。
【００１５】
格納部１４０は、カードを握持してスタッカ１１０に運んで格納するものであり、カード検査部６０によって磁気テープなどに記憶された情報あるいはＩＣに記憶された情報の読み取りが行われた読み取り結果に基づいて、カード搬送部７０によって搬送されるカードのうち、スタッカ１１０に格納する必要があるカードをスタッカ１１０に格納する。この格納部１４０のその他の機能については、後述する。
取り付け装置８０は、台紙搬送部５０によって搬送される台紙に対して、カード搬送部７０によって搬送されるカードとスタッカ１１０に格納されたカードとを取り付けする。搬送部８５は、取り付け装置８０によってカードが取り付けられた台紙をカード・台紙確認部９０に搬送する。カード・台紙確認部９０は、カードと台紙との取り付けられた組み合わせが正しいか否かを検査する。
【００１６】
次に、図１におけるカード取り付けシステムの機能の一部について図３を用いて説明する。図３は、この発明の一実施形態によるカード取り付けシステムの構成を示す概略ブロック図である。この図において、スタッカ１１０は、図１に示すスタッカ１１０と同様の機能を有する。スタック情報記憶部１２０は、カードがスタッカ１１０に格納される位置を示す位置情報と格納されるカードに付与されたカード識別情報とを対応付けて記憶する。ここで、スタック情報記憶部１２０に記憶される情報の一例を図４に示す。ここで、位置情報はスタッカ１１０内に格納される位置として、例えばスタッカ１１０の上面側から下面側にむけて順にそれぞれ異なる番号が設定されており、この番号が位置情報に対応しており、スタッカ１１０内の位置を特定することが可能である。また、カード識別情報は、１枚の台紙に複数枚のカードを取り付ける場合には、１つの台紙識別情報に対応するカード識別情報が複数枚のカードに設定される。
【００１７】
ここで、１枚の台紙識別情報に対応するカード識別情報は、１枚の台紙に取り付けるべきカードが識別することが出来れば、全て同じカード識別情報であってもよく、カード識別情報のうち一部のみが一致する情報であってもよい。また、カード識別情報のうち、１つのカード識別情報には、親となるカードであることを示す親情報が含まれており、他のカード識別情報には親に対して子となるカードであることを示す子情報が含まれている。この親情報、子情報は、例えば、カード識別情報のいずれか１桁の数字がフラグを示す情報として設けられ、フラグがオンの場合に親情報、オフの場合に子情報として設定するようにしてもよい。
また、ここで、親子関係があるカードの一例としては、同じユーザが複数枚のカードを発行してもらう場合であって、１枚が親カードとなるクレジットカードであって、少なくとも１枚以上が子カードとなるリボカードや、会員カードなどである。
【００１８】
カード読み取り部１３０は、取り付け対象となるカードからカード識別情報を読み取る。このカード読み取り部１３０は、例えば、磁気カードの磁気テープ部分に記憶されたカード識別情報を読み取る磁気リーダライタが適用されたり、ＩＣカードのＩＣ内に記憶されたカード識別情報を読み出すＩＣリーダライタが適用されたり、カードの券面のバーコード、刻印番号等を読み取るバーコードリーダやＣＣＤ（Charge-Coupled Device）カメラ、ＯＣＲ読み取り装置等が適用される。このカード読み取り部１３０は、例えば、図１において説明したカード検査部６０に設けられるリーダライタに相当する。
【００１９】
格納部１４０は、カード読み取り部１３０によって読み取られたカードをスタッカ１１０に格納し、当該格納したカードのカード識別情報とスタッカ１１０に格納された位置に該当する位置情報とを対応付けてスタック情報記憶部１２０に書き込む。この格納部１４０は、カード検査部６０（図１）によって券面の読み取りが行われた読み取り結果に基づいて、カード搬送部７０（図１）によって搬送されるカードのうち、スタッカ１１０に格納する必要があるカード、すなわち、カード識別情報に子情報が含まれるカード識別情報が設定されたカードをスタッカ１１０に格納する。
【００２０】
台紙読み取り部１５０は、台紙搬送部５０によって搬送される台紙であって、当該台紙に印刷された台紙識別情報を読み取る。この台紙読み取り部１５０は、例えば、図１の台紙搬送部５０に設けられるＯＣＲ読み取り装置に相当する。この台紙識別情報は、例えば、カード識別情報と同じ情報を所定の桁数の部分に含まれるとともに、その台紙に取り付けるべきカードの枚数を示す枚数情報とが組み合わされて構成される。具体的には、カード識別情報が「ＡＡ」のカードを３枚取り付ける場合には、台紙識別情報が「３−ＡＡ」のように付与されており、台紙識別情報の所定の桁数の部分とカード識別情報とが一致しているか否かを照合することによって、その台紙に取り付けるべきカードであるか否かが検出される。
【００２１】
カード取り出し部１６０は、台紙読み取り部１５０が読み取った台紙識別情報に対応するカード識別情報が設定されたカードの位置情報をスタック情報記憶部を参照して検索し、検索結果に基づいて、位置情報に対応する格納場所からカードを取り出す。また、カード取り出し部１６０は、台紙識別情報に対応するカード識別情報が複数存在する、すなわち、１枚の台紙に取り付けるべきカードが複数枚存在する場合、台紙識別情報に対応するカード識別情報が設定されたそれぞれのカードをスタッカ１１０から取り出す。
【００２２】
カード取り付け部１７０は、カード取り出し部１６０が取り出したカードを台紙に取り付ける。また、カード取り付け部１７０は、親情報が設定されたカードを台紙に取り付けるとともに、親情報が設定されたカード識別情報に対応する子情報が設定されたカード識別情報に対応するカードを、カード取り出し部１６０によってスタッカ１１０から取り出して台紙に取り付ける。この取り付けは、粘着テープなどの粘着部材を用いてカードを台紙に貼り付けたり、台紙に予め設けられた切り込みにカードを挟み込んだりすることによって取り付けられる。
このカード取り出し部１６０とカード取り付け部１７０との組み合わせが図１の取り付け装置８０に相当する。
【００２３】
次に、図５および図６のフローチャートを用いて図１及び図３に示すカード取り付けシステム１の動作について説明する。ここでは、カードを発行するために必要となるユーザの個人情報や券種を指定する情報などが含まれる発行用データがデータベースに記憶されており、このデータベースに格納されたユーザの発行用データの順に従って、台紙が印刷され、台紙搬送部５０によって搬送される場合について説明する。また、このデータベースに格納されたユーザの発行用データの順に従って、カードがカード検査部６０によって、子カードの後で親カードを搬送する場合について説明する。
【００２４】
まず、台紙搬送部５０は、台紙を搬送するとともに（符号ｃ）、ＯＣＲ読み取り装置によって台紙識別情報を読み取る（図５符号ａ、図６ステップＳ１０１）。一方、カード検査部６０は、カードを搬送しつつ（符号ｂ）、カード識別情報をリーダライタ（磁気リーダライタ、ＩＣリーダライタなど）によって読み取る（図５符号ｃ、図６ステップＳ１０２）。読み取り結果となる台紙識別情報は、カード取り付け部１７０の所定のメモリ内に保存する。
【００２５】
一方、格納部１４０は、カード検査部６０のリーダライタ（磁気リーダライタ、ＩＣリーダライタなど）によって読み取られたカード識別情報に基づいて、読み取られたカードが親カードであるか否かを検出する（図６ステップＳ１０３）。ここでは、カード識別情報に付与されたフラグを参照して親情報または子情報を識別する。
検出結果が親カードではない、すなわち子カードである場合、格納部１４０は、カード検査部６０からカード搬送部７０に搬送されたカードをスタッカ１１０に格納し（図５符号ｄ、図６ステップＳ１０４）、格納したスタッカ１１０の位置情報をスタック情報記憶部１２０にカード識別情報に対応付けて記憶する（図６ステップＳ１０５）。そして、ステップＳ１０２に移行する。
ここでは、同じカード識別情報が付与されたカードのうち親カードよりも先に子カードが搬送されてくるので、ステップＳ１０２からステップＳ１０５の処理が行われることにより、子カードが順次スタッカ１１０に格納され、位置情報が記憶される。
【００２６】
一方、検出結果が親カードである場合、格納部１４０は、親カードに該当するカードの格納を行わない。格納されなかったカードは、カード搬送部７０から台紙搬送部５０に搬送される（図５符号ｅ）。
カード読み取り部１３０の読み取り結果に基づいて、親カードが搬送されたことが検出すると、カード取り付け部１７０は、親カードのカード識別情報と格納部１４０のメモリに記憶された台紙識別情報とを照合する（図６ステップＳ１０６）。親カードのカード識別情報と台紙識別情報の所定の桁数の情報とが一致しない場合（図６ステップＳ１０７−ＮＯ）、台紙搬送部５０によってカードまたは台紙のいずれかを搬送部８５の下部のＮＧボックスに入れるように選択されて搬送される。
【００２７】
一方、親カードのカード識別情報と台紙識別情報の所定の桁数の情報とが一致すると（図６ステップＳ１０７−ＹＥＳ）、カード取り付け部１７０は、親カードを台紙に取り付ける（図５符号ｆ、図６ステップＳ１０８）。そして、親カードのカード識別情報に一致するカード識別情報がスタック情報記憶部１２０に記憶されているか否かを検索する（図６ステップＳ１０９）。
親カードのカード識別情報に一致するカード識別情報がスタック情報記憶部１２０に記憶されていない場合、カード取り付け部１７０は、子カードが無いものとして検出し、その台紙に対するカードの取り付け作業を終了する（図６ステップＳ１１０）。そしてステップＳ１０１に移行する。ここで、取り付け作業が終了した台紙は、台紙搬送部５０によって搬送部８５に搬送され、カード・台紙確認９０に搬送され、台紙とカードとの組み合わせが正しいか否かの判定処理が行われる。
【００２８】
一方、親カードに一致するカード識別情報がスタック情報記憶部１２０から検索されると、カード取り出し部１６０は、検索されたカード識別情報に対応する位置情報を参照し（図６ステップＳ１１１）、その位置情報に応じた位置に格納されているカードをスタッカ１１０から取り出す（図５符号ｇ、図６ステップＳ１１２）。カード取り付け部１７０は、カード取り出し部１６０が取り出した子カードを親カードに引き続き台紙に取り付ける（図５符号ｈ、図６ステップＳ１１３）。
【００２９】
次に、上述のカード取り付けシステムに用いられるカード検査システムについて説明する。
図７は、この発明の一実施形態によるカード検査装置１ａを適用したカード検査システムの構成を示す概略ブロック図である。
この図において、カード検査装置１ａは、登録用端末２にネットワークを介して接続される。
登録用端末２は、発行されるカードに記憶するための発行データをカード作成依頼業者から予め受け取って記憶しており、記憶した発行データをカード検査装置１ａの発行データ記憶部１１に記憶する。この発行データをカード作成依頼業者から受け取る方法としては、カード作成依頼業者の端末から受信して記憶するようにしてもよく、また、記録媒体に記憶された発行データをカード作成依頼業者から受け取り、登録用端末２によって読み出して記憶するようにしてもよい。
ここで、‘発行データ’とは、発行されるカードの記憶領域に記憶可能な情報であり、例えば、カード発券者コード、カードの種類を特定する券種コード、カードが作成されたロットを示すロット番号、カード３に固有に記憶される読み取りデータ等が含まれる。なお、後述するカード検査処理を行った検査結果に関する情報が追加されて記憶される。また、この発行データの一部または全部がカードの記録媒体に記憶される。
また、この実施形態において、「発行」とは、カード等の記録媒体に個人情報や共通情報を書き込む処理のことであり、「発送」とは、発行されたカードを、当該カードを利用する会員に送ることをいう。
【００３０】
カード３は、カードを利用する会員に発送するためのカードであり、発行データが記憶され、カード検査装置１ａによってカード検査処理が行われた後に会員に発送される。また、このカード３は、発行データの一部または全部を記憶するための記録媒体が設けられており、例えば、接触式・非接触式のＩＣカードに相当する。また、発行データを記録できるものであれば、ＩＣカード以外に、磁気テープ等の記憶媒体が設けられた磁気カードであってもよく、また、ＩＣカードと磁気カードとが１つのカードに組み合わされていてもよい。また、発行データを記憶させる方法として、カード３の表面にエンボス加工や印刷を行うことによって記憶させるようにしてもよい。
【００３１】
ここで、カード３によっては、磁気テープ、ＩＣ、エンボス加工、券面印刷などが券種に応じて様々に組み合わされて１枚のカード設けられるので、券種コードを特定することにより、磁気テープ、ＩＣ、エンボス加工、券面印刷のいずれの方法によって情報が記憶されているかを特定することが可能である。また、この券種コードに応じてカード識別情報（後述する）がどの記憶領域に記憶されているか予め決められているので、券種コードに基づいて、カード識別情報の記憶領域を特定し、読み出すことが可能である。また、券種によっては、台紙に取付が不要な種類もあるので、券種コードと台紙に取り付けるか否かの情報とを対応付けて予め記憶されたテーブルを参照することにより、券種コードに基づいて台紙に取り付けるか否かを特定することが可能である。
【００３２】
カード検査装置１ａにおいて、発行データ記憶部１１は、カード３を特定するためのカード識別情報とカードに記憶される発行データとを登録用端末２から受信し、カード識別情報と発行データとを対応付けて記憶する。以下、カード識別情報をカードＩＤと称す。
検査対象カード指定部１２は、作業者からの指示に基づいて、検査対象となるカードを指定するための検査対象情報を比較部１４に出力する。
読み出し部１３は、発行データに基づいて作成され検査対象となるカード３からカードＩＤとカード３に記憶された発行データとを読み出す。この発行データおよびカードＩＤは、磁気テープに記憶された磁気記憶領域、接触式ＩＣに記憶された接触式ＩＣ記憶領域、非接触式ＩＣに記憶された非接触式ＩＣ記憶領域、カード３の券面に印刷されたバーコード、券面に印刷されるデザインとなるカード画像等のうちのいずれか１つまたは複数に分散されて記憶される。カード３のどの記憶領域に発行データとカードＩＤが記憶されているかについては、カード券種コードに応じて読み出すべき記憶領域が対応付けられて記憶されたテーブルが予め読み出し部１３に設けられており、このテーブルを参照することにより、読み出す記憶領域を特定することが可能である。この読み出し部１３は、例えば、図３のカード読み取り部１３０に対応する。
【００３３】
比較部１４は、検査対象カード指定部１２から指定された検査対象情報に対応する発行データを発行データ記憶部１１から読み出し、発行データ記憶部１１から読み出された発行データと読み出し部１３によって読み出された発行データとを比較する。
出力部１５は、ＣＲＴ（Ｃａｔｈｏｄｅ  Ｒａｙ  Ｔｕｂｅ）や液晶表示装置などの表示装置、スピーカなどの音声出力装置であり、比較部１４の比較結果を出力する。この出力部１５から比較結果を出力することにより、作業員にエラーを通知することが可能である。
【００３４】
台紙読み取り部１６は、カードを取り付ける台紙に印刷された情報を読み取り、抽出部１７に出力する。この読み取りは、ＯＣＲ（Optical Character Recognition）によって行われる。なお、デジタルカメラによって撮像するようにしてもよい。この台紙読み取り部１６は、図３の台紙読み取り部１５０に相当する。
ここでいう‘台紙情報’とは、カード３の発送対象を特定するための情報であり、カードＩＤ、カード３を送付する送付先の住所、氏名、カード３の所有者となる会員の氏名等、が含まれる。
【００３５】
抽出部１７は、台紙読み取り部１６から出力されるデータから台紙情報を抽出する。
第２の比較部１８は、カード３と台紙との整合性をチェックする機能を有する。具体的には、第２の比較部１８は、読み出し部１３が読み出した発行データと抽出部１７が抽出した台紙情報とを比較する機能を有する。さらに、第２の比較部１８は、後述する台紙整合性検査指示部２０からの指示に基づいて、カード３が台紙に取り付けされた後、カード３が取り付けられた台紙から台紙読み取り部１６によってデータを読み出し、読み出した画像データから抽出部１７によって台紙情報を抽出するとともに、読み出し部１３によって台紙に取り付けられたカード３から発行データを読み出し、抽出された台紙情報と読み出された発行データとを比較する機能を有する。すなわち、第２の比較部１８は、台紙に取り付けられる前のカード３から読み取られた発行データとカード３の取り付け対象の台紙の台紙情報とを比較する機能と、台紙に取り付けられた後のカード３から読み取られた発行データとカード３が取り付けられた台紙の台紙情報とを比較する機能とを有する。
【００３６】
カード取り付け部１９は、第２の比較部１８の比較結果に基づいて、取り付け前のカード３のカード識別情報とカード３を取り付ける対象となる台紙情報とが一致した場合に、カード３を台紙に取り付ける。この取り付けは、粘着テープや糊などの粘着部材を用いてカード３を台紙に貼り付けたり、台紙に予め設けられた切り込みにカード３を挟み込んだりすることによって行われる。このカード取り付け部１９は、図３におけるカード取り付け部１７０に相当する。
【００３７】
台紙整合性検査指示部２０は、カード３が台紙に取り付けられた後、取り付けられたカード３と台紙とが一致しているか否かを検出するための処理を行わせる指示を読み出し部１３と台紙読み取り部１６と第２の比較部１８とに出力する。このカード３と台紙とが一致しているか否かの検出は、例えば、カード３を発送した対象となる会員と台紙に印刷された内容（送付先住所、氏名、発送対象の会員氏名、バーコード情報）とが一致しているか否かを検出することによって行われる。
【００３８】
次に、図７の構成におけるカード検査装置１ａの動作について、図８のフローチャートを用いて説明する。
まず、カード検査装置１ａを操作する作業者によって、登録用端末２に発行データを登録する指示が入力されると（ステップＳ１）、登録用端末２は、予め登録された条件に従い、カードＩＤと発行データとを対応付けて発行データ記憶部１１に登録する（ステップＳ２）。
【００３９】
次に、検査対象カード指定部１２を介し作業者から、検査対象のカード群のカードＩＤ、券種コード、発行者、ロット番号が入力され、検査開始の作業指示が入力されると（ステップＳ３）、比較部１４は、検査対象カード指定部１２を介して指定されたカードＩＤ、券種コード、発行者、ロット番号に該当する発行データを発行データ記憶部１１から読み出す（ステップＳ４）。ここでは、読み出しが指示された複数のカード３についての発行データが読み出され、発行データリストとして比較部１４に一時記憶される（ステップＳ５）。そして、作業者によってカード検査装置１ａに検査するべくカード３が投入されると（ステップＳ６）、読み出し部１３は、投入されたカード３の記憶領域から券種コードを読み出し、読み出した券種コードに基づいて、磁気記憶領域、接触式ＩＣ記憶領域、非接触式ＩＣ記憶領域、バーコード、カード画像のうち、どの情報について読み出すべきかテーブルを参照して読み取りパターンを決定し（ステップＳ７）、決定された読み取りパターンに従って、カード３から発行データとカードＩＤとを読み出し（ステップＳ８）、読み出した発行データとカードＩＤとを一時記憶する（ステップＳ９）。
【００４０】
次に、比較部１４は、カード３から読み取った発行データの中からロット番号、カード発券者コード、読み取りデータを抽出する。そして、発行データ記憶部１１から読み出した発行データのうち、カード３から読み出したカードＩＤに対応する発行データを発行データリストの中から特定し、特定した発行データとカード３から読み出した発行データとを比較する（ステップＳ１０）。この比較は、券種コード、ロット番号、カード発券者コード、読み取りデータについて、それぞれ一致するか否かが比較される。
【００４１】
比較部１４は、比較結果において、発行データ記憶部１１に記憶されている券種コード、ロット番号、カード発券者コード、読み取りデータと、カード３から読み出した券種コード、ロット番号、カード発券者コード、読み取りデータとが一致していない場合（ステップＳ１１−ＮＯ）、検査結果「エラー」を示す検査済みファイルを作成し、カードＩＤに対応づけて発行データ記憶部１１に記憶するとともに、カード検査装置１ａの外部に排出させる（ステップＳ１２）。
【００４２】
一方、検出結果が一致する場合（ステップＳ１１―ＹＥＳ）、比較部１４は、台紙に取付必要であるか否かについてテーブルを参照し券種コードに基づいて検出する（ステップＳ１３）。台紙に取り付ける必要がない場合（ステップＳ１３―ＮＯ）、比較部１４は、検査結果「異常なし」を示す検査済みファイルを作成し（ステップＳ１４）、カードＩＤに対応付けて発行データ記憶部１１に記憶する（ステップＳ１５）。この作成される検査済みファイルの内容としては、検査情報、検査日時、検査結果を登録した日時、検査結果がエラーか異常なしであるかを示す検査状態フラグ、検査条件ファイル名などが含まれる。
【００４３】
他方、比較部１４は、台紙に取り付ける必要がある場合（ステップＳ１３−ＹＥＳ）、カード搬送装置によってカード取り付け部１９にカード３を搬送させる。カード３が搬送されると、カード検査処理が行われているカードの順序に応じて予め印刷され重ねられてある台紙の束の中から、台紙搬送装置によって順に台紙がカード取り付け部１９に搬送される。
【００４４】
台紙読み取り部１６は、カード取り付け部１９に搬送された台紙に印刷されているデータを読み取る（ステップＳ１６）。この読み取りが行われると、抽出部１７は、読み取られたデータから台紙情報を抽出し、第２の比較部１８に出力する。
【００４５】
第２の比較部１８は、比較部１４に一時記憶された発行データのうちカード搬送装置によってカード取り付け部１９に搬送されたカード３に対応する発行データと抽出部１７から出力された台紙情報とを比較する（ステップＳ１７）。この比較は、発行データの読み取りデータに含まれるカード３の送付先の住所、氏名、カード３の所有者の氏名、券面に印刷されるバーコード情報と、台紙情報に含まれるカードの住所、氏名、カード３の所有者となる会員の氏名、台紙に印刷されるバーコード情報とが比較される。
【００４６】
そして、第２の比較部１８は、比較結果が一致していない場合（ステップＳ１８−ＮＯ）、エラー通知を行う（ステップＳ１９）。
一方、比較結果が一致している場合（ステップＳ１８−ＹＥＳ）、第２の比較部１８は、カード取り付け部１９に取り付け指示をする。カード取り付け部１９は、第２の比較部１８からの取り付け指示に基づいて、カード３を台紙に取り付ける（ステップＳ２０）。取り付けが終わると、台紙整合性検査指示部２０は、読み出し部１３と台紙読み取り部１６に読み取り指示をするとともに、第２の比較部１８に比較指示をする。
【００４７】
読み出し部１３は、台紙整合性検査指示部２０から読み取り指示に基づいて、台紙に取り付けられたカード３から発行データを読み出し、第２の比較部１８に出力する。台紙読み取り部１６は、台紙整合性検査指示部２０から読み取り指示に基づいて、カード３が取り付けられた台紙から印刷された情報を読み出し、抽出部１７に出力する。抽出部１７は、台紙整合性検査指示部２０から出力された情報から台紙情報を抽出し、第２の比較部１８に出力する。第２の比較部１８は、読み出し部１３から出力された発行データと抽出部１７から出力された台紙情報とを比較する（ステップＳ２１）。ここでは、カードの券面のエンボス加工された文字を読み出し部１３が読み取って、その結果を発行データとして用いて、比較するようにしてもよい。
【００４８】
比較結果が一致しない場合（ステップＳ２２−ＮＯ）、第２の比較部１８は、カード３が取り付けられた台紙をエラーとして排出するように搬送装置に指示する。これにより、カード３が取り付けられた台紙は、エラーとして排出される（ステップＳ２３）。そして第２の比較部１８は、検査結果「カードと台紙が一致しない」を示す検査結果ファイルを作成し（ステップＳ１４）、検査結果を発行データに対応付けて発行データ記憶部１１に記憶する（ステップＳ１５）。
【００４９】
一方、比較結果が一致する場合（ステップＳ２２−ＹＥＳ）、第２の比較部１８は、カード３が取り付けられた台紙を発送工程に搬送するように搬送装置に指示する。カード３が取り付けられた台紙は、搬送装置によって発送加工処理によって封筒に封入されたのち（ステップＳ２４）、発送処理工程に搬送される。そして、第２の比較部１８は、検査結果「カードと台紙の整合性異常なし」を示す検査結果ファイルを作成し（ステップＳ１４）、検査結果を発行データに対応付けて発行データ記憶部１１に記憶する（ステップＳ１５）。
【００５０】
なお、この実施形態において、１枚の台紙に複数枚のカードを取り付ける場合には、図６ステップＳ１０２からステップＳ１０３を行うとともに、カードの取り付けを行う毎にステップＳ１０からステップＳ１５、およびステップＳ１７からステップＳ２０を行うようにしてもよい。
【００５１】
また、上述した実施形態において、カード読み取り部１３０によって取り付け対象となるカードからカード識別情報を読み取り、格納部１４０によってスタック情報記憶部１２０に位置情報とカード識別情報とを書き込むようにしたが、カードをスタッカ１１０に予め格納し、その格納されたカードの位置情報とカード識別情報とをスタック情報記憶部１２０に記憶しておくようにすれば、カード読み取り部１３０と格納部１４０とを設けない構成とすることも可能である。
【００５２】
また、図３におけるカード取り付けシステム１のカード読み取り部１３０、格納部１４０、台紙読み取り部１５０、カード取り付け部１６０、カード取り付け部１７０の機能を実現するためのプログラムをコンピュータ読み取り可能な記録媒体に記録して、この記録媒体に記録されたプログラムをコンピュータシステム（カード取り付けシステム）に読み込ませ、実行することによりカード取り付け処理を行ってもよい。なお、ここでいう「コンピュータシステム」とは、ＯＳや周辺機器等のハードウェアを含むものとする。
【００５３】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００５４】
以上、この発明の実施形態を図面を参照して詳述してきたが、具体的な構成はこの実施形態に限られるものではなく、この発明の要旨を逸脱しない範囲の設計等も含まれる。
【図面の簡単な説明】
【００５５】
【図１】この発明の一実施形態によるカード取り付けシステムの構成を示す概略図である。
【図２】スタッカ１１０の外観を示す外観図である。
【図３】この発明の一実施形態によるカード取り付けシステムの構成を示す概略ブロック図である。
【図４】スタック情報記憶部１２０に記憶される情報の一例を図４に示す。
【図５】図１及び図３に示すカード取り付けシステム１の動作について説明するための図面である。
【図６】図１及び図３に示すカード取り付けシステム１の動作について説明するためのフローチャートである。
【図７】この発明の一実施形態によるカード検査装置１を適用したカード検査システムの構成を示す概略ブロック図である。
【図８】図７の構成におけるカード検査装置１の動作について説明するためのフローチャートである。
【符号の説明】
【００５６】
１  カード取り付けシステム              １１０  スタッカ
１２０  スタック情報記憶部              １３０  カード読み取り部
１４０  格納部                          １５０  台紙読み取り部
１６０  カード取り出し部                １７０  カード取り付け部
【図１】
2006103820.tif 000003
【図２】
2006103820.tif 000004
【図３】
2006103820.tif 000005
【図４】
2006103820.tif 000006
【図５】
2006103820.tif 000007
【図６】
2006103820.tif 000008
【図７】
2006103820.tif 000009
【図８】
2006103820.tif 000010